(57)【特許請求の範囲】
【請求項１】
液体を循環させて暖房装置に供給する機能を備えた暖房用液体循環通路と、浴槽に接続される追い焚き循環通路とを有して、該追い焚き循環通路は熱交換手段を介して前記暖房用液体循環通路に熱的に接続され、該暖房用液体循環通路には、該暖房用液体循環通路の液体を循環させる液体循環ポンプと、該液体循環ポンプの駆動により循環する液体を加熱する暖房用熱交換器とが介設され、前記追い焚き循環通路には浴槽湯水を循環させる浴槽湯水循環ポンプが設けられ、浴槽湯水の追い焚き指令を受けて前記暖房用熱交換器により前記暖房用液体循環通路内の液体を加熱しながら循環させると共に前記追い焚き循環通路を通して浴槽湯水を循環させることによって、該浴槽湯水と前記暖房用液体循環通路を循環する液体とを前記熱交換手段を介して熱交換して浴槽湯水の追い焚きを行う機能を有する熱源装置であって、前記液体を前記暖房用熱交換器によって予め定められる高温設定温度に加熱して前記暖房用液体循環通路内を循環させる高温液体循環モードの機能と、前記液体を前記暖房用熱交換器によって前記高温設定温度よりも低い予め定められる低温設定温度に加熱して前記暖房用液体循環通路内を循環させる低温液体循環モードの機能とを有し、前記低温液体循環モードの機能の動作中に前記浴槽湯水の追い焚き動作が行われるときには前記低温液体循環モードの機能の動作を継続して前記低温設定温度に加熱した液体を前記暖房用液体循環通路に循環させ、その液体と前記浴槽湯水との熱交換による浴槽湯水の追い焚きを行うようにし、前記低温液体循環モードの機能の動作中以外の時に浴槽湯水の追い焚き動作が行われるときには前記高温液体循環モードで前記暖房用液体循環通路に前記液体を循環させて該液体と前記浴槽湯水との熱交換による浴槽湯水の追い焚きを行うようにする追い焚き時液体循環モード制御手段を有することを特徴とする熱源装置。
【請求項２】
浴槽湯水の追い焚き動作時に入浴者がいるかどうかの判断を行う入浴者有無判断手段を有し、追い焚き時液体モード制御手段は、前記入浴者有無判断手段によって入浴者がいると判断されたときには、低温液体循環モードの機能の動作中に浴槽湯水の追い焚き動作を行うときであっても高温液体循環モードの機能の動作に切り替えて高温設定温度に加熱した液体を循環させて浴槽湯水の追い焚きを行うようにすることを特徴とする請求項１記載の熱源装置。
【請求項３】
浴槽湯水の水位を検出する水位センサと、該水位センサの検出水位に基づいて浴槽に人が入浴していることを検知する人入浴検知手段とを有し、入浴者有無判断手段は前記人入浴検知手段によって浴槽への人の入浴が検知されているときには入浴者がいると判断し、前記人入浴検知手段によって浴槽への人の入浴が検知されていないときには入浴者がいないと判断することを特徴とする請求項２記載の熱源装置。
【請求項４】
熱源装置には浴室配置のリモコン装置と台所配置のリモコン装置とが信号接続されており、入浴者有無判断手段は前記浴室配置のリモコン装置によって浴槽湯水の追い焚き指令が出されたときには入浴者がいると判断し、前記台所配置のリモコン装置によって浴槽湯水の追い焚き指令が出されたときには入浴者がいないと判断することを特徴とする請求項２または請求項３記載の熱源装置。
【請求項５】
浴槽湯水の温度を検出する浴槽湯水温検出手段を有し、追い焚き時液体循環モード制御手段は、低温液体循環モードで液体を循環させたときに前記浴槽湯水温検出手段による検出温度が予め定められる風呂設定温度よりも設定温度だけ低い設定接近温度未満であったときには高温液体循環モードに切り替えて液体を循環させ、前記浴槽湯水温検出手段による検出温度が前記設定接近温度に達するまで前記高温液体循環モードで液体を循環させた後に前記低温液体循環モードに切り替えて液体を循環させることを特徴とする請求項１乃至請求項４のいずれか一つに記載の熱源装置。
【発明の詳細な説明】
【技術分野】
【０００１】
本発明は、浴槽湯水の追い焚き循環路と暖房液体循環通路とを熱的に接続して形成される熱源装置に関するものである。
【背景技術】
【０００２】
図２には、熱源装置のシステム構成例が示されている。同図において、器具ケース４２内には燃焼室２４，２５が設けられており、燃焼室２４内には、暖房用熱交換器２８（２８ａ，２８ｂ）と、暖房用熱交換器２８を通る液体を加熱する加熱手段としての暖房用バーナ１６と、暖房用バーナ１６の燃焼の給排気を行なう燃焼ファン１８とが設けられている。また、燃焼室２５内には、給湯バーナ１７と、給湯バーナ１７により加熱される給湯熱交換器２９（２９ａ，２９ｂ）と、給湯バーナ１７の燃焼の給排気を行なう燃焼ファン１９とが設けられている。熱交換器２８ｂ、２９ｂは排気ガス中の顕熱を回収する一次熱交換器であり、熱交換器２８ａ、２９ａは排気ガス中の潜熱を回収する潜熱回収用熱交換器の二次熱交換器である。
【０００３】
暖房用バーナ１６および給湯バーナ１７には、それぞれのバーナ１６，１７に燃料を供給する供給通路としてのガス管３１，３２が接続されている。ガス管３１，３２は、ガス管３０から分岐形成されており、ガス管３０には、元電磁弁８０が介設されている。また、給湯バーナ１７および暖房用バーナ１６は、それぞれ複数段の燃焼面を持ち、暖房用バーナ１６の各燃焼面に供給される燃料の量が、ガス管３１に介設された比例弁８６の開弁量と電磁弁８１，８２の開閉制御（燃料の供給や停止）により調節され、給湯バーナ１７の各燃焼面に供給される燃料の量が、ガス管３２に介設された比例弁８７の開弁量と電磁弁８３，８４，８５の開閉制御（燃料の供給や停止）により調節される。
【０００４】
前記暖房用熱交換器２８（２８ａ，２８ｂ）は、シスターンタンク１００と液体循環ポンプ６とを備えた暖房用液体循環通路５に介設されており、暖房用液体循環通路５は、器具ケース４２内に設けられた管路８９，９０，９１，９２，９３，９４，９５，９６，９７，９８，９９を有し、器具ケース４２の外部に設けられた外部通路の管路４０，４１，４４，４５，５９に接続されて形成されている。また、管路９８には低温能力切り替え熱動弁４７が介設されている。
【０００５】
暖房用液体循環通路５は、液体循環ポンプ６の駆動によって液体（例えば温水）を循環させることによって、低温の暖房装置としての温水マット１０ｂ，１０ｃと、例えば浴室暖房機等の高温の暖房装置（高温暖房装置）１０ａとに液体を供給する。高温暖房装置１０ａには内部通路５１が設けられ、内部通路５１には熱動弁１２が介設されている。内部通路５１は管路４０を介して管路９７に接続され、管路４１と液体合流手段１１５とを介して管路５９に接続されている。
【０００６】
液体循環ポンプ６の吐出側の通路は、管路９０と管路９１とに分岐されており、その一方の管路９１は暖房用液体循環通路５を循環する液体の加熱用の前記暖房用熱交換器２８ｂ側に液体を導入し、他方の管路９０は温水マット１０ｂ，１０ｃに液体を供給する。暖房用熱交換器２８ｂの入側の管路９１には、暖房用熱交換器２８ｂに導入される液体の温度を検出する暖房低温サーミスタ３６が設けられている。暖房用熱交換器２８ｂの出側には管路９２が設けられており、管路９２には暖房用熱交換器２８ｂを通って導出される液体の温度を検出する暖房高温サーミスタ３３が設けられている。
【０００７】
また、管路９０には熱動弁８を備えた液体分岐手段３７が設けられており、液体分岐手段３７を介して管路９０が管路４５に接続され、管路４５に温水マット１０ｂ，１０ｃの入水側が接続されている。温水マット１０ｂ，１０ｃには内部通路５２が形成され、温水マット１０ｂ，１０ｃの出水側は管路４４と液体合流手段１１５と管路５９と介して管路９５に接続されている。
【０００８】
管路９５は、暖房用熱交換器２８ａの液体導入側に接続され、暖房用熱交換器２８ａの液体導出側には管路９４が接続されている。また、液体循環ポンプ６の吸入口側には前記管路９３が接続されており、管路９３と管路９４との間に前記シスターンタンク１００が介設されている。シスターンタンク１００の一部は大気開放と成しており、また、シスターンタンク１００には、例えば液体の体積膨張等によってシスターンタンク１００から溢れた液体を外部に排出するためのオーバーフロー通路５３が接続されて、オーバーフロー通路５３の先端部は熱源装置の外部（排水口等）に導かれている。
【０００９】
暖房用熱交換器２８ａと前記給湯熱交換器２９ａの下側には、ドレン回収手段（ドレン受け部）３９が設けられ、このドレン回収手段３９によって回収されるドレンは、ドレン排出通路７５を通してドレン中和器７６に導入され、ドレン中和器７６で中和された後に、ドレン排出通路７７を通って熱源装置の外部（ドレン排出通路７７の先端部が接続されている排水口等）に導かれる。
【００１０】
前記給湯熱交換器２９ａの入口側には給水通路８８が設けられており、給水通路８８には、給水通路８８を流れる湯水の量を検出することにより給湯の水量を検出する流量検出手段７３と入水温度を検出する入水温度センサ７４と、給湯流量を可変するため水量サーボ６９が設けられている。また、給水通路８８には、接続通路５７と補給水電磁弁４６を介して、前記暖房用液体循環通路５が接続されている。給湯熱交換器２９ｂの出口側には給湯通路２６が設けられており、給湯通路２６の先端側は、適宜の給湯先に導かれている。
【００１１】
また、給湯通路２６と給水通路８８とを、給湯交換器２９を介さずに接続するバイパス通路７０が設けられ、バイパス通路７０の給水通路８８との接続部には、バイパス流量弁としてのバイパスサーボ５８が設けられている。給湯通路２６には、バイパス通路７０の形成部よりも下流側に出湯湯温検出センサ１１３が設けられ、給湯熱交換器２９側に出湯湯温検出センサ１１４が設けられている。
【００１２】
浴槽２７には、往管１４と戻り管１５を有する追い焚き循環路１３が接続されており、この追い焚き循環路１３は、風呂用熱交換器７を介して前記暖房用液体循環通路５と熱的に接続されている。風呂用熱交換器７は追い焚き循環路１３と暖房用液体循環通路５の管路８９との液―液熱交換器により形成された浴槽湯水追い焚き用の熱交換器であり、管路８９の風呂用熱交換器７への入口側には流量制御弁３８が設けられている。追い焚き循環路１３には、浴槽湯水を循環させる浴槽湯水循環ポンプ２０が設けられ、風呂用熱交換器７は浴槽湯水循環ポンプ２０の駆動によって追い焚き循環路１３を循環し、暖房用液体循環通路５を通る液体との熱交換によって浴槽湯水を加熱する構成と成している。
【００１３】
また、追い焚き循環路１３には、浴槽湯水の温度を検出する風呂温度センサ２１と、浴槽湯水の水位を検出する水位センサ２２と、追い焚き循環路１３の水流を検知する風呂水流スイッチ３４とが介設されている。浴槽湯水循環ポンプ２０の吸入口側に、戻り管１５の一端側が接続され、戻り管１５の他端側が循環金具５６を介して浴槽２７に連通接続されている。浴槽湯水循環ポンプ２０の吐出口側には、往管１４の一端側が接続され、往管１４の他端側は循環金具５６を介して浴槽２７に連通接続されている。
【００１４】
前記給湯通路２６には、分岐通路７０の形成部および出湯湯温検出センサ１１３の配設部よりも下流側に、管路５４を介して注湯水ユニット５５が接続されており、注湯水ユニット５５には風呂用注湯導入通路２３の一端側が接続され、風呂用注湯導入通路２３の他端側は、前記浴槽湯水循環ポンプ２０に接続されている。注湯水ユニット５５には、湯張り電磁弁４８、湯張り水量センサ４９、逆止弁５０ａ，５０ｂが設けられている。なお、給湯熱交換器２９から給湯通路２６と管路５４、注湯水ユニット５５、風呂用注湯導入通路２３、浴槽湯水循環ポンプ２０、風呂用熱交換器７、往管１４を順に通って浴槽２７に至るまでの通路によって、湯張りや注水を行うための湯張り注水通路が構成されている。
【００１５】
図２に示されるような熱源装置において、例えば高温暖房装置１０ａの暖房運転を行うときと、リモコンの追い焚きボタン操作時や後述の保温モード機能の動作時に浴槽湯水の追い焚き運転を行うときには、暖房用バーナ１６によって暖房用熱交換器２８を加熱し、暖房用熱交換器２８ｂから出る液体の温度を予め定められる高温設定温度（例えば８０℃）として循環させる高温液体循環モードの機能の動作を行う（暖房用熱交換器２８ｂから出る液体の温度を暖房高温サーミスタ３３で測定し、その検出温度が約８０℃となるようにしながら液体を循環させる）。
【００１６】
そして、高温暖房装置１０ａの暖房運転を行うときには、高温暖房装置１０ａの熱動弁１２を開き、この高温の液体を、液体循環ポンプ６の駆動により、図２の矢印Ａ〜Ｆに示すように液体を循環させて、高温暖房装置１０ａに液体を供給する。
【００１７】
また、この状態で、浴槽湯水の追い焚き運転を行うときは、暖房用熱交換器２８ｂから出て管路９２を通った液体を、図２の矢印Ｂに示すように管路９７に通すと共に、流量制御弁３８を開くことにより、矢印Ｂ’に示すように管路８９側にも通す。そして、管路８９側（風呂用熱交換器７側）に流れた液体を管路９６に通して管路９５に戻るようにしながら、浴槽湯水循環ポンプ２０を駆動させて、浴槽湯水を図２の矢印Ｈに示すように循環させ、風呂用熱交換器７（液−液熱交換器）を介しての、暖房用液体循環通路５を通る液体と追い焚き循環路１３を通る浴槽湯水との熱交換によって、浴槽２７内の湯水の温度（風呂温度センサ２１の検出温度）が風呂設定温度となるまで、浴槽湯水の追い焚き運転を行う。
【００１８】
また、高温暖房装置１０ａの暖房運転を行わずに、浴槽湯水の追い焚き運転のみを行うときには、高温暖房装置１０ａの熱動弁１２が閉じられているので、暖房用熱交換器２８ｂで加熱した高温設定温度の液体（例えば８０℃の液体）を、矢印Ａに示すように管路９２に通した後、管路９７には通さずに（図２の矢印Ｂ方向には流さずに）、矢印Ｂ’に示すように、管路８９側に通す。そして、前記と同様に、この液体と浴槽湯水とを、液―液風呂用熱交換器７を介して熱交換することにより浴槽２７内の湯水の追い焚き運転を行う。
【００１９】
一方、高温暖房装置１０ａの加熱や浴槽湯水の追い焚きを行わずに温水マット１０ｂ，１０ｃのみを加熱するときには、暖房用液体循環通路５の管路内が温められるまでの間に行われるホットダッシュ運転を除き、暖房用液体循環通路５の液体を暖房用バーナ１６で加熱し、暖房用熱交換器２８ｂから出る液体を高温設定温度よりも低い予め定められる低温設定温度（例えば６０℃）として循環させる低温液体循環モードの機能の動作を行う（暖房用熱交換器２８ｂから出る液体の温度を暖房高温サーミスタ３３で測定し、その検出温度が約６０℃となるようにしながら液体を循環させる）。
【００２０】
また、このときは、液体を図２の矢印Ｃ，Ｄ，Ｅ，Ｆに示すように循環させながら、管路９２を通った液体を、低温能力切替熱動弁４７を開くことによって管路９８を通して管路９４に導入し、シスターン１００側から液体循環ポンプ６側に向けて図の矢印Ｅに示すように通る液体と共に、液体循環ポンプ６を介し、図の矢印Ｇに示すように、液体を管路９０，４５に順に通して温水マット１０ｂ，１０ｃに導入する低温暖房用循環経路での液体供給を行う。温水マット１０ｂ，１０ｃを通った液体は、管路４４、液体合流手段１１５を介して管路９５に戻す。
【００２１】
また、前記ホットダッシュ運転時には、例えば暖房用熱交換器２８ｂから出る液体の温度を暖房高温サーミスタ３３で測定し、その検出温度が約８０℃となるようにしながら、前記低温暖房用循環経路で液体を温水マット１０ｂ，１０ｃに供給する。そうすると、温水マット１０ｂ，１０ｃから戻ってきた液体が、管路４４、９５を通り、さらに、矢印Ｄに示したように管路９４を通ってシスターン１００に戻るときに、暖房用熱交換器２８ｂから出て管路９２を通り、管路９８を介し、管路９４を通る液体に混合されて、液体の温度が８０℃より低くなり、シスターン１００を通って液体循環ポンプ６を介し、温水マット１０ｂ，１０ｃに送られるときには７０℃程度の液体となる。
【００２２】
なお、最近では、前記低温液体循環モードの機能の動作を行うときに、低温設定温度として６０℃と４０℃の２つの温度を設定しておき、温水マット１０ｂ，１０ｃ等が配設されている室内の温度が予め定められた液体温度低下制御基準温度に達したら、暖房用液体循環通路５を循環させる液体の温度を６０℃よりもさらに低い４０℃といった温度にして循環させる機能を備えた熱源装置も用いられている。
【００２３】
また、高温暖房装置１０ａの加熱や浴槽湯水の追い焚きを行われていない状態で温水マット１０ｂ，１０ｃのみの暖房運転が行われている最中に、浴槽湯水の追い焚き指令が出力されたときには、低温能力切替熱動弁４７を閉じ（あるいは、開弁量を小さくし）、前記の追い焚き運転時と同様に、暖房用熱交換器２８ｂによって加熱して管路９２に導出される液体の温度を、例えば８０℃といった高温設定温度として循環させる前記高温液体循環モードの機能の動作に切り替える。そして、高温液体循環モードの機能によって管路８９を通る液体の温度を８０℃程度として液体を循環させることで、前記浴槽湯水の追い焚き動作と同様に、迅速に浴槽湯水の追い焚きを行うようにしている。
【００２４】
なお、この場合、低温能力切替熱動弁４７を閉じる（または、開弁量を小さくする）ことにより、暖房用熱交換器２８ｂから管路９２に導出される高温の液体は、管路９４には導入されない（または、少量しか導入されない）。そして、温水マット１０ｂ，１０ｃには、前記管路８９を通って浴槽湯水と熱交換されて温度が低下した後、管路９６，９５、シスターン１００を通ることにより、さらに温度が低下した液体が、管路９３、液体循環ポンプ６、管路９０を通して導入されるので、暖房装置１０ｂ，２０ｃに導入される液体の温度は、６０℃程度となる。
【００２５】
また、この熱源装置において、浴槽２７への湯張り（自動湯張り動作）を行うときには、バーナ１７の燃焼によって給湯熱交換器２９を通る水を加熱し、前記湯張り注水通路を通して湯を浴槽２７に注ぐ。そして、この自動湯張り後、例えば４時間といった保温動作時間中には、以下のような保温モードの機能の動作が行われる。つまり、風呂温度センサ２１の検出温度を取り込み、その検出温度が予め設定される風呂設定温度より予め定められている許容範囲を超えて低下したときには、前記のように、暖房用熱交換器２８ｂによって加熱して管路９２に導出される液体の温度を高温設定温度（例えば８０℃）として循環させる高温液体循環モードの機能の動作を行いながらの追い焚き運転の動作を、例えば３分間行って、風呂温度センサ２１の検出温度が前記風呂設定温度となるようにする動作が行われる。
【先行技術文献】
【特許文献】
【００２６】
【特許文献１】特開平８―３５６５７号公報
【発明の概要】
【発明が解決しようとする課題】
【００２７】
ところで、図２に示したようなシステム構成の熱源装置において、前記のように、高温液体循環モードの機能の動作を行いながら浴槽湯水の追い焚き動作を行うと、迅速な追い焚きが行われることになるが、暖房用熱交換器２８（２８ａ，２８ｂ）の熱効率は加熱温度が高くなる程低くなる傾向にあるため、暖房用熱交換器２８ｂによって液体の温度を例えば６０℃や４０℃といった低温設定温度に加熱して循環させる低温液体循環モードの機能の動作時に比べ、高温液体循環モードの機能の動作中は暖房用熱交換器２８（２８ａ，２８ｂ）の熱効率が低下する。また、熱源装置の器具ケース４２は屋外に配設されることが多く、その器具ケース４２内の暖房用液体循環通路５内の液体（熱媒）の温度が高いと、風などによって放熱しやすいため、熱の無駄が多い。
【００２８】
しかしながら、従来は、浴槽湯水の追い焚き動作は、必ず高温液体循環モードの機能の動作を行いながら行われており、温水マット１０ｂ，１０ｃのみの加熱が行われている低温液体循環モードの機能の動作中に浴槽湯水の追い焚き動作指令が発信された時には、わざわざ高温液体循環モードの機能の動作に切り替え、暖房用熱交換器２８ｂによって加熱されて管路９２に導出される液体の温度が８０℃といった高温となるように加熱を行うようにしていた。そのため、その度に、モード切り替え動作の制御を行わなければならないことに加え、暖房用熱交換器の効率が低下し、液体を高温に加熱するための多くのエネルギを必要とし、さらには、放熱量も大きく無駄が多かった。
【００２９】
本発明は、上記課題を解決するためになされたものであり、その目的は、熱エネルギを極力無駄にせずに、適切に、暖房用の液体循環通路との熱交換による風呂の追い焚き運転を行うことができる熱源装置を提供することにある。
【課題を解決するための手段】
【００３０】
本発明は上記目的を達成するために、次の構成をもって課題を解決する手段としている。すなわち、第１の発明は、液体を循環させて暖房装置に供給する機能を備えた暖房用液体循環通路と、浴槽に接続される追い焚き循環通路とを有して、該追い焚き循環通路は熱交換手段を介して前記暖房用液体循環通路に熱的に接続され、該暖房用液体循環通路には、該暖房用液体循環通路の液体を循環させる液体循環ポンプと、該液体循環ポンプの駆動により循環する液体を加熱する暖房用熱交換器とが介設され、前記追い焚き循環通路には浴槽湯水を循環させる浴槽湯水循環ポンプが設けられ、浴槽湯水の追い焚き指令を受けて前記暖房用熱交換器により前記暖房用液体循環通路内の液体を加熱しながら循環させると共に前記追い焚き循環通路を通して浴槽湯水を循環させることによって、該浴槽湯水と前記暖房用液体循環通路を循環する液体とを前記熱交換手段を介して熱交換して浴槽湯水の追い焚きを行う機能を有する熱源装置であって、前記液体を前記暖房用熱交換器によって予め定められる高温設定温度に加熱して前記暖房用液体循環通路内を循環させる高温液体循環モードの機能と、前記液体を前記暖房用熱交換器によって前記高温設定温度よりも低い予め定められる低温設定温度に加熱して前記暖房用液体循環通路内を循環させる低温液体循環モードの機能とを有し、前記低温液体循環モードの機能の動作中に前記浴槽湯水の追い焚き動作が行われるときには前記低温液体循環モードの機能の動作を継続して前記低温設定温度に加熱した液体を前記暖房用液体循環通路に循環させ、その液体と前記浴槽湯水との熱交換による浴槽湯水の追い焚きを行うようにし、前記低温液体循環モードの機能の動作中以外の時に浴槽湯水の追い焚き動作が行われるときには前記高温液体循環モードで前記暖房用液体循環通路に前記液体を循環させて該液体と前記浴槽湯水との熱交換による浴槽湯水の追い焚きを行うようにする追い焚き時液体循環モード制御手段を有する構成をもって課題を解決する手段としている。
【００３１】
また、第２の発明は、前記第１の発明の構成に加え、浴槽湯水の追い焚き動作時に入浴者がいるかどうかの判断を行う入浴者有無判断手段を有し、追い焚き時液体モード制御手段は、前記入浴者有無判断手段によって入浴者がいると判断されたときには、低温液体循環モードの機能の動作中に浴槽湯水の追い焚き動作を行うときであっても高温液体循環モードの機能の動作に切り替えて高温設定温度に加熱した液体を循環させて浴槽湯水の追い焚きを行うようにすることを特徴とする。
【００３２】
さらに、第３の発明は、前記第２の発明の構成に加え、浴槽湯水の水位を検出する水位センサと、該水位センサの検出水位に基づいて浴槽に人が入浴していることを検知する人入浴検知手段とを有し、入浴者有無判断手段は前記人入浴検知手段によって浴槽への人の入浴が検知されているときには入浴者がいると判断し、前記人入浴検知手段によって浴槽への人の入浴が検知されていないときには入浴者がいないと判断することを特徴とする。
【００３３】
さらに、第４の発明は、前記第２または第３の発明の構成に加え、前記熱源装置には浴室配置のリモコン装置と台所配置のリモコン装置とが信号接続されており、入浴者有無判断手段は前記浴室配置のリモコン装置によって浴槽湯水の追い焚き指令が出されたときには入浴者がいると判断し、前記台所配置のリモコン装置によって浴槽湯水の追い焚き指令が出されたときには入浴者がいないと判断することを特徴とする。
【００３４】
さらに、第５の発明は、前記第１乃至第４のいずれか一つの発明の構成に加え、浴槽湯水の温度を検出する浴槽湯水温検出手段を有し、追い焚き時液体循環モード制御手段は、低温液体循環モードで液体を循環させたときに前記浴槽湯水温検出手段による検出温度が予め定められる風呂設定温度よりも設定温度だけ低い設定接近温度未満であったときには高温液体循環モードに切り替えて液体を循環させ、前記浴槽湯水温検出手段による検出温度が前記設定接近温度に達するまで前記高温液体循環モードで液体を循環させた後に前記低温液体循環モードに切り替えて液体を循環させることを特徴とする。
【発明の効果】
【００３５】
本発明によれば、暖房用液体循環通路を循環する液体を暖房用熱交換器によって予め定められる高温設定温度に加熱して前記暖房用液体循環通路内を循環させる高温液体循環モードの機能と、前記液体を前記暖房用熱交換器によって前記高温設定温度よりも低い予め定められる低温設定温度に加熱して前記暖房用液体循環通路内を循環させる低温液体循環モードの機能とを有しているが、前記低温液体循環モードの機能の動作中に前記浴槽湯水の追い焚き動作を行うときには前記低温液体循環モードの機能の動作を継続して前記低温設定温度に加熱された液体を前記暖房用液体循環通路に循環させ、その液体と浴槽湯水との熱交換による浴槽湯水の追い焚きを行うようにすることによって、以下の効果を奏することができる。
【００３６】
つまり、前記のように、低温液体循環モードの機能の動作時に前記浴槽湯水の追い焚き動作を行うときには、そのままのモードを継続して浴槽湯水の追い焚き動作を行うことで、低温液体循環モードから高温液体循環モードへのモード切り替え制御動作を省くことができるので、制御動作の簡略化を図ることができるし、低温液体循環モードの機能の動作を行いながらの浴槽湯水の追い焚きは、高温液体循環モードの機能の動作を行いながらの浴槽湯水の追い焚き動作に比べて時間はかかるが熱交換器の熱効率を上げることができるし、放熱等による熱エネルギの無駄を省くことができるため、省エネルギ化が可能な熱源装置を形成することができる。
【００３７】
なお、低温液体循環モードの機能の動作中以外の時に浴槽湯水の追い焚き動作を行う時には、前記高温液体循環モードで前記暖房用液体循環通路に前記高温設定温度に加熱した液体を循環させて浴槽湯水の追い焚きを行うようにすることにより、低温液体循環モードの機能の動作が行われていない状態で浴槽湯水の追い焚きが行われるときには、迅速な浴槽湯水の追い焚きを行うことができるし、液体循環通路に高温暖房装置が接続されていて、その運転中に浴槽湯水の追い焚き動作が行われるときには、高温液体循環モードの機能の動作による液体循環によって高温暖房装置の運転を的確に行うことができる。
【００３８】
また、入浴中の人が、浴槽湯水温が「ぬるい」と感じてリモコン装置に設けられている追い焚きスイッチを操作することにより浴槽湯水の追い焚きが開始されるときには、なるべく速く追い焚きが行われて浴槽湯水温が風呂設定温度になる方が好ましいが、人が入浴していない状態で浴槽湯水の追い焚きが開始されるときには、その追い焚きスピードは遅くてもよいはずである。
【００３９】
そこで、低温液体循環モードの機能の動作中に前記浴槽湯水の追い焚き動作を行うときであっても、浴槽湯水の追い焚き時に入浴者がいると判断されたときに浴槽湯水の追い焚きが行われるときには、前記高温液体循環モードに切り替えて該高温液体循環モードで液体を循環させることにより、迅速な追い焚きができ、利用者の快適な利用を可能とすることができるし、低温液体循環モードの機能の動作時に入浴者がいないと判断されたときには前記低温液体循環モードで液体を循環させて追い焚きを行うようにすることで、熱エネルギを極力無駄にせずに、必要に応じて適切なモードの機能動作で暖房用の液体循環通路との熱交換による浴槽湯水の追い焚き運転を行えるようにすることができる。
【００４０】
また、浴槽湯水の水位を検出する水位センサの検出水位に基づき、浴槽に人が入浴していることを検知しているときには入浴者がいると判断し、浴槽に人が入浴していることの検知が行われていないときには入浴者がいないと判断するようにすることにより、浴槽への人の入浴を的確に判断でき、前記のように、熱エネルギを極力無駄にせずに、必要に応じて適切なモードの機能動作で暖房用の液体循環通路との熱交換による浴槽湯水の追い焚き運転を行えるようにすることができる。
【００４１】
さらに、熱源装置に信号接続された浴室配置のリモコン装置と台所配置のリモコン装置のうち、浴室配置のリモコン装置によって浴槽湯水の追い焚き指令が出されたときには入浴者がいると判断し、前記台所配置のリモコン装置によって浴槽湯水の追い焚き指令が出されたときには入浴者がいないと判断することにより、浴槽への人の入浴を的確に判断でき、前記のように、熱エネルギを極力無駄にせずに、必要に応じて適切なモードの機能動作で暖房用の液体循環通路との熱交換による風呂の追い焚き運転を行えるようにすることができる。
【００４２】
つまり、風呂リモコン装置の操作によって追い焚き操作を行うときには、利用者は浴室で追い焚き操作を行っているので、入浴中または、操作後、時間をおかずに入浴する可能性が高く、このときに高温液体循環モードとすることにより迅速な追い焚きによる快適な利用ができる。一方、台所リモコン装置の操作によって追い焚き操作を行うときには、利用者は浴室にはいないので、操作後、ある程度の時間がたってから入浴する可能性が高く、この場合は低温液体循環モードでゆっくりと追い焚きを行うことにより熱エネルギの無駄を省くことができる。
【００４３】
さらに、浴槽湯水の追い焚き時に、低温液体循環モードで液体を循環させたときに、浴槽湯水温検出手段による浴槽湯水の検出温度が予め定められる風呂設定温度よりも設定温度だけ低い設定接近温度未満であったときには高温液体循環モードに切り替えて液体を循環させ、前記浴槽湯水温検出手段による検出温度が前記設定接近温度に達するまで前記高温液体循環モードで液体を循環させた後に前記低温液体循環モードに切り替えて液体を循環させることにより、以下の効果を奏することができる。
【００４４】
例えば利用者が台所リモコン装置を操作して少し立ってから入浴しようとした際、台所リモコン装置から追い焚き指令が出されたときには、浴槽湯水温が設定接近温度未満の低い温度であったときに、低温液体循環モードでのゆっくりの追い焚きでは、利用者が入浴する時に浴槽湯水温が風呂設定温度に近い温度に達せずに低すぎる可能性があるが、浴槽湯水温が前記設定接近温度になるまでは迅速に追い焚きを行うことにより、利用者が入浴しようとしたときまでに浴槽湯水温を設定温度に近い温度まで高めて、快適な利用が行えるようにすることができるし、浴槽湯水温が設定接近温度になってからは、ゆっくりと追い焚きを行うことにより、高めの温度の湯が追い焚き循環路から浴槽に導出されることを防ぐこともできる。
【図面の簡単な説明】
【００４５】
【図１】本発明に係る熱源装置の一実施例の制御構成を示すブロック図である。
【図２】熱源装置のシステム構成例と、その動作例を模式的に示す説明図である。
【図３】床暖房運転動作時期と浴槽湯水の追い焚き動作タイミングと入浴動作タイミングの例を示す説明図である。
【図４】熱源装置の別のシステム構成例と、その動作例を模式的に示す説明図である。
【発明を実施するための形態】
【００４６】
以下、本発明の実施の形態を図面に基づき説明する。なお、本実施例の説明およびその参照図面において、これまでの説明の構成要素と同一名称部分には同一符号を付し、その重複説明は省略または簡略化する。
【実施例】
【００４７】
本実施例の熱源装置のシステム構成は、図２に示した熱源装置と同様に構成されており、本実施例の特徴的なことは、図１に示す制御構成を設けて、浴槽湯水の追い焚き時の動作を制御する構成としたことである。熱源装置の制御手段６０は、人入浴検知手段６２、入浴者有無判断手段６３、追い焚き時液体循環モード制御手段６４、燃焼制御手段６５を有し、浴室配置の風呂リモコン装置１と、台所配置の台所リモコン装置２と、床暖房リモコン装置３と、浴室暖房リモコン装置４とに接続されている。
【００４８】
なお、本実施例において、低温の暖房装置は温水マット１０ｂ，１０ｃであり、床暖房リモコン装置３は温水マットの１０ｂ，１０ｃ運転のオンオフやオフタイマー設定等の操作を行うためのリモコン装置である。また、本実施例において、高温暖房装置１０ａは浴室暖房装置であり、浴室暖房リモコン装置４は浴室暖房装置の運転のオンオフやオフタイマー設定等の操作を行うためのリモコン装置である。
【００４９】
人入浴検知手段６２は、水位センサ２２の検出水位に基づいて浴槽２７に人が入浴していることを検知する。具体的には、例えば水位の変動の基準値を予め与えておき、水位センサ２２の検出水位の変動がこの基準値以上あったときには、人が入浴したと判断することができる。この判断方法は、適宜設定されるものである。また、人入浴検知手段６２は、浴室やその入口に設けられる人感センサ（例えば赤外線センサ等、人がいることを感知できるセンサであり、同図には図示せず）のセンサ信号に基づき人の検知を行うようにしてもよい。なお、人入浴検知手段６２は人感センサによる人の検知と前記水位センサ２２の検出水位変動による人の検知の両方を行うようにしてもよい。人入浴検知手段６２は、人の検知が行われると、その検知信号を入浴者有無判断手段６３に加える。
【００５０】
入浴者有無判断手段６３は、浴槽湯水の追い焚き時に、入浴者がいるかどうかの判断を行う手段であり、その検知方法は特に限定されるものでなく、適宜設定されるものではあるが、本実施例においては、例えば前記人入浴検知手段６２によって浴槽２７への人の入浴が検知されているとき、つまり、人入浴検知手段６２による人の検知信号が入浴者有無判断手段６３に加えられているときには入浴者がいると判断し、人入浴検知手段６２によって浴槽２７への人の入浴が検知されていないときには入浴者がいないと判断する。
【００５１】
また、入浴者有無判断手段６３は、風呂リモコン装置１によって浴槽湯水の追い焚き指令が出されたとき（例えば風呂リモコン装置１の追い焚きスイッチがオンされたとき）には入浴者がいると判断し、台所リモコン装置２によって浴槽湯水の追い焚き指令が出されたとき（例えば台所リモコン装置２の追い焚きスイッチがオンされたとき）には入浴者がいないと判断する。そして、これらの判断信号を追い焚き時液体循環モード制御手段６４に加える。
【００５２】
燃焼制御手段６５は、前記のような、各機能の運転動作に際し、その燃焼制御を行う手段であり、各リモコン装置１〜４からの指令に従い、水位センサ２２、風呂温度センサ２１、風呂水流スイッチ３４等の検出信号に基づいて、浴槽湯水循環ポンプ２０、液体循環ポンプ６、低温能力切替熱動弁４７、ガス比例弁８６、ガス開閉弁８１，８２、燃焼ファン１８等の制御を行う。また、燃焼制御手段６５は、以下に述べるような暖房用熱交換器２８の加熱制御および液体循環ポンプ６の駆動制御を伴う暖房運転中と、浴槽湯水追い焚き運転中には、その制御情報を、時々刻々と、または予め定められた間隔毎に、追い焚き時液体循環モード制御手段６４に加える。なお、燃焼制御手段６５による制御方法の説明について、従来例と同様の制御や周知の燃焼制御運転については省略または簡略化して述べる。
【００５３】
例えば、燃焼制御手段６５は、床暖房リモコン装置３と浴室暖房リモコン装置４の運転操作情報に基づき、浴槽暖房リモコン装置４の運転がオンの時には、従来例と同様に、高温暖房サーミスタ３３の検出温度が高温設定温度（例えば８０℃）となるように暖房用熱交換器２８ｂにより液体を加熱し（液体の加熱温度を調節し）、前記の如く、高温液体循環モードの機能の動作を行いながら、液体循環ポンプ６の駆動により、図２の矢印Ａ〜Ｆに示すように液体を循環させて、高温暖房装置１０ａに液体を供給する。
【００５４】
一方、高温暖房装置１０ａの運転（加熱運転）や浴槽湯水の追い焚き運転を行わずに温水マット１０ｂ，１０ｃのみを加熱するときにも、従来例と同様に、暖房用液体循環通路５の管路内が温められるまでの間には、前記のようなホットダッシュ運転を行い、その後は、高温暖房サーミスタ３３の検出温度が低温設定温度（例えば６０℃）となるように暖房用熱交換器２８ｂにより液体を加熱し（液体の加熱温度を調節し）、前記の如く、低温液体循環モードの機能の動作を行う。そして、いずれの場合も、前記低温暖房用循環経路での温水マット１０ｂ，１０ｃへの液体（温水）供給を行う。
【００５５】
追い焚き時液体循環モード制御手段６４は、前記のような燃焼制御手段６５による制御情報を取り込み、低温液体循環モードの機能の動作中に浴槽湯水の追い焚き動作が行われるときには、入浴者有無判断手段６３によって入浴者がいると判断されたとき（入浴者有無判断手段６３から、入浴者がいると判断した判断信号が追い焚き時液体循環モード制御手段６４に加えられたとき）を除き、低温液体循環モードの機能の動作を継続して、暖房用熱交換器２８ｂによって前記低温設定温度に加熱した液体を暖房用液体循環通路５に循環させ、その液体と浴槽湯水との熱交換による浴槽湯水の追い焚きを行うように、燃焼制御手段６５に指令を加える。
【００５６】
一方、入浴者有無判断手段６３によって入浴者がいると判断されたときには、追い焚き時液体循環モード制御手段６４は、低温液体循環モードの機能の動作中に浴槽湯水の追い焚き動作を行うときであっても、高温液体循環モードの機能の動作に切り替えて、暖房用熱交換器２８ｂによって前記高温設定温度に加熱した液体を暖房用液体循環通路５に循環させ、その液体と浴槽湯水との熱交換による浴槽湯水の追い焚きを行うように、燃焼制御手段６５に指令を加える。
【００５７】
例えば、図３には、温暖地における冬季の床暖房（温水マット１０ｂ，１０ｃ）の運転状況と、入浴タイミングＴ１、Ｔ２、Ｔ３、Ｔ４、と、風呂自動運転における浴槽湯水の追い焚きタイミング（保温モード機能の動作における追い焚き動作開始タイミング）Ｔａ〜Ｔｅの各例が示されている。この例においては、床暖房の運転は、図の斜線部分に示されるように１８時から２２時過ぎまで行われ、また、ふろ保温（自動）の表示を参照するとわかるように、夜の８時（２０時）前に風呂自動運転が行われて湯張りが行われた後に、２０時から２２時過ぎまでの間に保温モード機能の動作による追い焚き動作がＴａ〜Ｔｅのタイミングで開始されて合計５回行われる。また、入浴者は４人で、Ｔ１、Ｔ２、Ｔ３、Ｔ４に示されるように、１９時５０分頃、２０時１０分頃、２１時５５分頃、２２時１０分頃に、それぞれ入浴が行われることを示している。
【００５８】
このようなタイミングで入浴が行われるとすると、保温モード機能の動作による浴槽湯水の追い焚き動作タイミング（Ｔａ〜Ｔｅ）は、いずれも床暖房の運転時間と重なっており、低温液体循環モードの機能の動作が行われているときに浴槽湯水の追い焚きが行われることになる。ただし、追い焚きタイミングＴａでは、その追い焚き動作中に２人目の入浴者の入浴があり（Ｔ２参照）、この入浴が人入浴検知手段６２により検知されると、入浴者有無判断手段６３から、入浴者がいるとの判断信号が追い焚き時液体循環モード制御手段６４に加えられるので、このときには、追い焚き時液体循環モード制御手段６４は、入浴者有無判断手段６３から入浴者がいるとの判断信号を受けた時点で、高温液体循環モードの機能の動作に切り替えて高温設定温度に加熱した液体を循環させて浴槽湯水の追い焚きを行うように、燃焼制御手段６５に指令を加える。そうすると、燃焼制御手段６５の制御に基づき、高温液体循環モードの機能の動作を行いながらの浴槽湯水の追い焚き動作が行われる。
【００５９】
また、追い焚きタイミングＴｂ、Ｔｃ、Ｔｄでは、床暖房の運転時間と重なっており、かつ、入浴者がいないので、追い焚き時液体循環モード制御手段６４は、低温液体循環モードの機能の動作を継続して低温設定温度に加熱した液体を循環させながら浴槽湯水の追い焚きを行うように、燃焼制御手段６５に指令を加える。そして、燃焼制御手段６５の制御により、低温液体循環モードの機能の動作を行いながらの浴槽湯水の追い焚き動作が行われる。
【００６０】
さらに、追い焚きタイミングＴｅでは、床暖房の運転時間と重なっているが、その追い焚き動作中に４人目の入浴者の入浴があり（Ｔ４参照）、この入浴が人入浴検知手段６２により検知されると、入浴者有無判断手段６３から、入浴者がいるとの判断信号が追い焚き時液体循環モード制御手段６４に加えられるので、このときには、タイミングＴａの時と同様に、追い焚き時液体循環モード制御手段６４は、高温液体循環モードの機能の動作に切り替えて高温設定温度に加熱した液体を循環させて浴槽湯水の追い焚きを行うように、燃焼制御手段６５に指令を加える。そして、燃焼制御手段６５の制御に基づき、高温液体循環モードの機能の動作を行いながらの浴槽湯水の追い焚き動作が行われる。
【００６１】
なお、図３の例とは異なり、低温液体循環モードの機能の動作中に保温モードの機能にしたがって追い焚きを開始する際、その開始時点で既に、入浴者有無判断手段６３から入浴者がいるとの判断信号が追い焚き時液体循環モード制御手段６４に加えられているとき（例えば人が浴室に入室した直後や浴槽２７に入った直後に追い焚きのタイミングとなったとき）には、追い焚き開始時から高温液体循環モードの機能の動作に切り替えて追い焚きを行うように、追い焚き時液体循環モード制御手段６４から燃焼制御手段６５に指令を加え、高温液体循環モードの機能の動作を行いながら追い焚きを行う。
【００６２】
また、前記の如く、風呂自動運転による保温モード機能の動作による追い焚き指令の出力ではなく、風呂リモコン装置１によって浴槽湯水の追い焚き指令が出されたときには、入浴者有無判断手段６３により入浴者がいると判断されるので、床暖房の運転時間と重なっている場合であっても、追い焚き時液体循環モード制御手段６４は、高温液体循環モードの機能の動作に切り替えて高温設定温度に加熱した液体を暖房用液体循環通路５に循環させて浴槽湯水の追い焚きを行うように、燃焼制御手段６５に指令を加える。
【００６３】
一方、台所リモコン装置２によって浴槽湯水の追い焚き指令が出されたときには、入浴者有無判断手段６３により入浴者がいないと判断されるので、床暖房の運転時間と重なった場合には、追い焚き時液体循環モード制御手段６４は、低温液体循環モードの機能の動作を継続して低温設定温度に加熱した液体を循環させながら浴槽湯水の追い焚きを行うように、燃焼制御手段６５に指令を加える。
【００６４】
また、追い焚き時液体循環モード制御手段６４は、前記低温液体循環モードの機能の動作中以外のとき、つまり、浴室暖房リモコン装置４の運転がオンで高温液体循環モードの機能の動作中に追い焚き指令が発信されたときや、浴槽暖房リモコン装置４の運転と床暖房リモコン装置３の運転が共にオフのときに追い焚き指令が発信されたときには、従来例と同様に、高温液体循環モードの機能の動作を行いながら浴槽湯水の追い焚きを行うように、燃焼制御手段６５に指令を加える。
【００６５】
そして、いずれの場合も、燃焼制御手段６５が、加えられた指令に応じて、適宜、高温液体循環モードの機能の動作に切り替えたり、低温液体循環モードの機能の動作を継続したりしながら、浴槽湯水の追い焚き動作を行うことにより、使い勝手が良好で、かつ、エネルギの無駄を省くことができる熱源装置を実現できる。
【００６６】
なお、本発明は、前記実施例に限定されるものでなく、適宜設定されるものである。例えば、低温液体循環モードの機能の動作を行うときの低温設定温度として、６０℃と４０℃といったように複数の温度を設定しておき、低温液体循環モードの機能の動作中に浴槽湯水の追い焚き動作が行われるときには、複数の低温設定温度の中で暖房用熱交換器２８の熱効率が最も高くなる温度を選択する機能を設け、その選択した温度に加熱した液体を暖房用液体循環通路５に循環させるようにして低温液体循環モードの機能の動作を継続しながら、浴槽湯水の追い焚きを行うようにしてもよい。
【００６７】
また、床暖房等の加熱用に低温液体循環モードの機能の動作を行うときの低温設定温度としては６０℃を設定しておき、低温液体循環モードの機能の動作中に浴槽湯水の追い焚き動作が行われるときの低温設定温度としては６５℃を設定しておく等、追い焚き時の低温液体循環モードの機能の動作中と追い焚きを行わないときの低温液体循環モードの機能の動作中の低温設定温度を異なる値としてもよい。
【００６８】
さらに、前記の如く、高温液体循環モードの機能の動作を行いながら浴槽湯水の追い焚きを行うときよりも、低温液体循環モードの機能の動作を行いながら浴槽湯水の追い焚きを行うときの方が暖房用熱交換器２８の熱効率を高くすることができるが、浴槽湯水の追い焚きに要する時間は長くなるために、浴槽湯水循環ポンプ２０の駆動時間が長くなり、その分だけ電力を消費することになる。そこで、以下のようにして追い焚き時の低温液体循環モードの機能の動作中の低温設定温度を設定してもよい。
【００６９】
例えば暖房用熱交換器２８の熱効率と浴槽湯水循環ポンプ２０の駆動時間との兼ね合いで、最も省エネルギ化が可能となるような低温設定温度を実験により求めてデータとして格納しておき、そのデータに基づいて、低温液体循環モードの機能の動作を行いながらの浴槽湯水追い焚き時の低温設定温度を決定してもよい。また、さらに浴槽湯水の追い焚きが行われる際の室温等の他の条件も考慮して演算等によって最も省エネルギ化が可能となるような低温設定温度を、浴槽湯水の追い焚きタイミング毎に求める機能を設け、その演算データに基づいて定温設定温度を求めて、その温度になるように暖房用熱交換器２８により液体を加熱して低温液体循環モードの機能の動作を行いながら浴槽湯水の追い焚き時の低温設定温度を決定してもよい。
【００７０】
さらに、前記実施例では、熱源装置に風呂リモコン装置１と台所リモコン装置２を接続したが、どちらか一方のみを接続してもよいし、居間に配置されるリモコン装置や洗面所に配置されるリモコン装置等を接続してもよい。なお、風呂リモコン装置１を接続しない場合は、台所リモコン装置２等に風呂の追い焚き操作機能等を設けるようにし、入浴者有無判断手段６３は、人入浴検知手段６２によって浴槽２７への人の入浴が検知されているか否かによって、浴槽湯水の追い焚き時に、入浴者がいるかどうかの判断を行うようにするとよい。
【００７１】
さらに、追い焚き時液体循環モード制御手段６４は、低温液体循環モードの機能の動作で液体を循環させたときに、風呂温度センサ２１による検出温度が予め定められる風呂設定温度よりも設定温度（例えば２℃）だけ低い設定接近温度未満であったときには高温液体循環モードの機能の動作に切り替えて液体を循環させ、風呂温度センサ２１による検出温度が前記設定接近温度に達するまで高温液体循環モードの機能の動作で液体を循環させた後に、低温液体循環モードの機能の動作に切り替えて液体を循環させるように、燃焼制御手段６５に指令を加えてモード制御してもよい。
【００７２】
さらに、前記実施例では、入浴者有無判断手段６３を設け、追い焚き時液体モード制御手段６４は、入浴者有無判断手段６３によって入浴者がいると判断されたときには、低温液体循環モードの機能の動作中に浴槽湯水の追い焚き動作を行うときであっても高温液体循環モードの機能の動作に切り替えて高温設定温度に加熱した液体を循環させて浴槽湯水の追い焚きを行うようにしたが、入浴者有無判断手段６３を省略し、低温液体循環モードの機能の動作中に浴槽湯水の追い焚き動作を行うときには、必ず低温液体循環モードの機能の動作を継続しながら浴槽湯水の追い焚きを行うようにしてもよい。
【００７３】
さらに、前記実施例では、熱源装置は、図２に示したシステム構成を有していたが、本発明の熱源装置は、暖房用熱交換器２８と液体循環ポンプ６とを備えた暖房用液体循環通路５と、浴槽湯水循環ポンプ２０を備えた追い焚き循環通路１３とを、熱交換手段を介して熱的に接続し、浴槽湯水と暖房用液体循環通路５を循環する液体とを熱交換手段を介して熱交換して浴槽湯水の追い焚きを行う機能を有していれば、そのシステム構成の詳細は特に限定されるものものではなく、適宜設定されるものである。
【００７４】
例えば、前記実施例では、暖房用熱交換器２８も給湯熱交換器２９も、一次熱交換器と、潜熱回収用熱交換器（二次熱交換器）とを有する構成としたが、潜熱回収用熱交換器を設けずに、例えば図４に示すようなシステム構成の熱源装置としてもよい。なお、図４に示す熱源装置において、高温暖房装置１０ａの暖房運転のみを行うときには、暖房用熱交換器２８で加熱して暖房用液体循環通路５に通す液体の温度を高温設定温度（例えば８０℃）として図４の矢印ａ〜ｅに示すように（ａ、ｂ、ｃ、ｄ、ｅの順に）液体を循環させながら、高温暖房装置１０ａに液体を供給する（矢印ｂ’の方向には液体を通さない）。
【００７５】
なお、この状態で浴槽湯水の追い焚きを行うときには、暖房用熱交換器２８で高温設定温度に加熱した液体を矢印ｂ’の方向にも通しながら、往管１４と戻り管１５を有する追い焚き循環路１３に浴槽湯水を循環させる。また、高温暖房装置１０ａの暖房運転も温水マット１０ｂ，１０ｃの加熱も行わずに浴槽湯水の追い焚きを行うときには、暖房用熱交換器２８で高温設定温度に加熱した液体を、矢印ｂ方向には通さずに、矢印ａから矢印ｂ’の方向に通しながら、往管１４と戻り管１５を有する追い焚き循環路１３に浴槽湯水を循環させる。
【００７６】
さらに、高温暖房装置１０ａの運転や浴槽湯水の追い焚きを行わずに温水マット１０ｂ，１０ｃのみを加熱するときには、ホットダッシュ運転時には暖房用熱交換器２８で加熱する液体の温度を例えば８０℃とし、ホットダッシュ運転後は、暖房用熱交換器２８で加熱する液体の温度を低温設定温度（例えば６０℃）とし、液体を図４の矢印ａ、ｂ、ｃの順に通すとともに、矢印ａから矢印ｂ’の方向にも通し、管路９６を通った液体を管路９５を通る液体と合流させ、シスターン１００を介して矢印ｄ→ｆに示すように通して温水マット１０ｂ，１０ｃに導入する。この状態で浴槽湯水の追い焚きを行うときには、往管１４と戻り管１５を有する追い焚き循環路１３に浴槽湯水を循環させる。
【００７７】
さらに、前記実施例では、給湯機能と風呂の追い焚き機能と暖房機能とを備えた複合装置としたが、給湯機能を有していない装置としてもよい。
【００７８】
さらに、本発明の熱源装置は、例えば前記実施例で設けたガス燃焼を行うバーナの代わりに、石油燃焼用のバーナを設けてもよいし、電熱ヒータ（例えばヒートポンプ）を設けてもよい。また、暖房用液体循環通路５内に循環させる液体は、水とは限らず、例えば不凍液等の他の液体としてもよい。
【００７９】
さらに、前記実施例では、熱源装置に接続される暖房装置を温水マットと浴室暖房装置としたが、接続される暖房装置は特に限定されるものでなく、適宜設定されるものである。
【産業上の利用可能性】
【００８０】
本発明の熱源装置は、暖房用液体循環通路を循環する液体との熱交換によって浴槽湯水の追い焚き動作を行う機能を有し、その追い焚きタイミングに応じて前記液体の加熱温度を適宜制御することによりエネルギの無駄を少なくできるので、例えば家庭用の熱源装置として利用できる。
【符号の説明】
【００８１】
１      風呂リモコン装置
２      台所リモコン装置
３      床暖房リモコン装置
４      浴室暖房リモコン装置
５      暖房用液体循環通路
６      液体循環ポンプ
７      液−液熱交換器
１０    暖房装置
１３    追い焚き循環通路
１６    バーナ
１７    バーナ
２０    浴槽湯水循環ポンプ
２１    風呂温度センサ
２２    水位センサ
２８    暖房用熱交換器
３３    暖房高温サーミスタ
３６    暖房低温サーミスタ
６０    制御手段
６２    人入浴検知手段
６３    入浴者有無判断手段
６４    追い焚き時液体循環モード制御手段
６５    燃焼制御手段
【図１】
0005887038.tif 000002
【図２】
0005887038.tif 000003
【図３】
0005887038.tif 000004
【図４】
0005887038.tif 000005